(57)【特許請求の範囲】
【請求項１】
シャーシ本体に着脱自在に装着された液体分析計用セル本体と、該セル本体に形成され、測定対象の液体を収容する前後方向の貯液孔と、前記セル本体の前面の前記貯液孔を閉塞する窓と、前記セル本体に形成され、前記貯液孔に液体を注入するための液体注入孔と、前記セル本体の上部に形成された上下方向の攪拌羽根挿通孔と、前記セル本体に形成され、前記貯液孔の液体を分析する液体分析センサが取り付けられるセンサ取付孔と、前記セル本体の下部に形成され、前記センサによる分析終了後の前記液体を排液する排液孔と、基部の両側に上下方向の長孔が形成された断面Ｌ字形の取付金具と、該取付金具の先端部に設けられ、モータと、前記攪拌羽根挿通孔に挿通されて前記モータの回転により前記貯液孔の前記液体を攪拌する攪拌羽根とからなる攪拌ユニットと、前記長孔に挿通され、前記取付金具を前記シャーシ本体に固定するボルトを備え、前記セル本体の清掃時、前記ボルトを緩めて前記取付金具を前記長孔に沿って上方に移動し、前記攪拌ユニットの前記攪拌羽根を前記攪拌羽根挿通孔から引き出すように構成してあることを特徴とする液体分析計用セルの取付構造。
【発明の詳細な説明】
【０００１】
【発明の属する技術分野】
この発明は、例えば、みかんやグレープフルーツなどの柑橘類をはじめとする果汁の酸度を導電率から測定する酸度計などの液体分析計用セルの取付構造に関する。
【０００２】
【従来の技術】
従来の液体分析計用セルの取付構造として、例えば、果汁の酸度及び糖度を分析する酸糖度分析装置の酸度計では図５に示す構成になっている。図５において、１は後部が若干下方に傾斜した透明なセル本体であり、セル本体１の右側面に取付片２が突設され、シャーシ本体３の側面に取付片２が複数本の固定ボルト４により取り付けられている。
【０００３】
５はセル本体１の前部に形成された前後方向の貯液孔であり、貯液孔５の周縁部に環状のＯリング溝６が形成され、Ｏリング溝６に、Ｏリング溝６の内縁部のＯリングガイド７にガイドされたＯリング８が嵌入され、貯液孔５の周縁部に透明な板状の窓９が複数本のねじ１０により着脱自在に装着され、貯液孔５が密閉されている。
【０００４】
１１，１２はセル本体１の上部の前側および後側に形成された上下方向の液面センサ挿通孔および攪拌羽根挿通孔であり、両挿通孔１１，１２の周縁部に円筒状のガイド１３が設けられている。
【０００５】
１４はセル本体１の下部に形成された上下方向の排液孔であり、排液孔１４に排液パイプ１５が設けられ、排液パイプ１５に、排液パイプ１５を開閉する電磁弁が設けられている。
【０００６】
１６，１７はセル本体１の左側部に形成された左右方向のオーバーフロー孔および温度センサ挿通孔である。
そして、セル本体１の後部が若干下方に傾斜しているため、貯液孔５の後部が下方に傾斜し、液面センサ挿通孔１１，攪拌羽根挿通孔１２，排液孔１４の上部が後方に傾斜し、液面センサ挿通孔１１，攪拌羽根挿通孔１２，排液孔１４および温度センサ挿通孔１７がそれぞれ貯液孔５に連通し、オーバーフロー孔１６が攪拌羽根挿通孔１２に連通している。
【０００７】
１８はセル本体１の上面の後端部に、複数本の取付ボルト１９により取り付けられた取付金具であり、取付金具１８の上側の折曲片２０に攪拌ユニット２１が設けられ、攪拌ユニット２１は、モータ２２と、モータ２２の駆動軸２３にゴム継手２４を介して接続された回転軸２５と、回転軸２５の先端部に固着された攪拌羽根２６とから構成され、攪拌羽根２６が攪拌羽根挿通孔１０を介して貯液孔５に挿入されている。
【０００８】
つぎに酸度計の酸度の測定方法について説明する。まず、貯液孔５に希釈された果汁の液体が注入される。この際、液面センサ挿通孔１１に挿通された液面センサにより貯液孔５の液体の液面の位置が検知され、液面が所定の高さに至ったところで貯液孔５への注入が停止される。
そして、攪拌ユニット２１のモータ２２を駆動して貯液孔５の液体を攪拌し、導電率計からなる液体分析センサにより液体の導電率ひいては酸度を測定している。
【０００９】
また、貯液孔５からオーバーフローした液体はオーバーフロー孔１６から外部に排液され、測定終了後、排液パイプ１５の電磁弁が開き、貯液孔５の液体は排液孔１４，排液パイプ１５を通って外部へ排液される。
【００１０】
そして、セル本体１の内部の清掃を行う際、固定ボルト４を緩めてシャーシ本体３の側面からセル本体１を取り外し、取付ボルト１９を緩めてセル本体１の上面から攪拌ユニット２１を取り外した後、洗剤で湿らせたペーパーでセル本体１の内部の清掃を行っている。
【００１１】
【発明が解決しようとする課題】
上述のように、セル本体１の内部の清掃時、セル本体１の上面に攪拌ユニット２１が固定されているため、シャーシ本体３の側面からセル本体１を取り外した後、セル本体１の上面から攪拌ユニット２１を取り外す必要がある、その作業が非常に煩雑で、洗浄性が低いという問題があった。
【００１２】
この発明は、上述の事柄に留意してなされたもので、その目的は、セル本体の内部の清掃を容易に、かつ、簡便に行え、洗浄性を向上できる液体分析計用セルの取付構造を提供することである。
【００１３】
【課題を解決するための手段】
上記目的を達成するため、この発明の液体分析計用セルの取付構造は、シャーシ本体に着脱自在に装着された液体分析計用セル本体と、該セル本体に形成され、測定対象の液体を収容する前後方向の貯液孔と、前記セル本体の前面の前記貯液孔を閉塞する窓と、前記セル本体に形成され、前記貯液孔に液体を注入するための液体注入孔と、前記セル本体の上部に形成された上下方向の攪拌羽根挿通孔と、前記セル本体に形成され、前記貯液孔の液体を分析する液体分析センサが取り付けられるセンサ取付孔と、前記セル本体の下部に形成され、前記センサによる分析終了後の前記液体を排液する排液孔と、基部の両側に上下方向の長孔が形成された断面Ｌ字形の取付金具と、該取付金具の先端部に設けられ、モータと、前記攪拌羽根挿通孔に挿通されて前記モータの回転により前記貯液孔の前記液体を攪拌する攪拌羽根とからなる攪拌ユニットと、前記長孔に挿通され、前記取付金具を前記シャーシ本体に固定するボルトを備え、前記セル本体の清掃時、前記ボルトを緩めて前記取付金具を前記長孔に沿って上方に移動し、前記攪拌ユニットの前記攪拌羽根を前記攪拌羽根挿通孔から引き出すようにしたものである。
【００１４】
したがって、セル本体の清掃時、ボルトを緩めて取付金具を長孔に沿って上方に移動し、攪拌ユニットの攪拌羽根挿通孔から引き出すので、セル本体および攪拌ユニットを取り外す必要がなく、セル本体の内部の清掃を容易に、かつ、簡便に行うことができ、洗浄性を向上することができる。
【００１５】
【発明の実施の形態】
この発明の実施形態につき、まず、酸度計および糖度計を有する酸糖度分析装置の構成を示した図１を参照して説明する。２７は希釈水が貯水された希釈水タンクであり、希釈水タンク２７に電磁弁２８および温度センサ２９が設けられている。３０は酸度計のセル本体であり、セル本体３０に、温度センサ３２，攪拌ユニット２１のモータ２２，攪拌羽根２６および液体分析センサ３４が設けられている。３５はセル本体３０の液体を排液するピンチバルブである。
【００１６】
３６はセル本体３０の上流側に設けられた糖度計であり、糖度計３６に温度センサ３７が設けられている。３８は計量兼用の切換バルブ，３９はモータであり、試料注入口４０から、例えば、みかんやグレープフルーツなどの果汁の原液が糖度計３６へと注入された後切換バルブ３８を経てオーバーフロー槽４１へと送られる。そして、切換バルブ３８を切り換えると糖度計３６からの原液のうち一定量のものが希釈水タンク２７の水により希釈され、この希釈された液体がセル本体３０に注入される。４２は排液管であり、セル本体３０およびオーバーフロー槽４１の液体を外部に排液する。
【００１７】
つぎに、図１の酸度計のセル本体３０の構成につき、図２ないし図４を参照して説明する。それらの図において、図５と同一符号は同一もしくは相当するものを示し、異なる点は、セル本体３０の上部に形成された液面センサ挿通孔１１および攪拌羽根挿通孔１２が、シャーシ本体３の側面に平行に形成され、セル本体３０の前部の貯液孔５のＯリングガイド７の下縁部が１／３程度切欠され、セル本体３０の下部の排液孔１４にシリコーンチューブ４３が接続され、シリコーンチューブ４３にピンチバルブ３５が設けられ、断面Ｌ字形の取付金具４４の基部５５の両側に上下方向の長孔４５が形成され、長孔４５にそれぞれ１本ずつ取付ボルト１９が挿通され、シャーシ本体３の側面に取付金具４４が取付ボルト１９により固定されている点である。
【００１８】
そして、４６はＯリング溝６の外側に形成された複数個のねじ孔であり窓９を貫通したねじ１０が螺合する。４７はセル本体３０の上部に形成された液体注入孔であり、貯液孔５に希釈された液体を注入する。４８はセル本体３０の右側部に形成された左右方向のセンサ取付孔であり、センサ取付孔４８の端部に螺溝４９が形成され、螺溝４９に液体分析センサ３４が取り付けられる。５０はセル本体３０の上部の液面センサ挿通孔１１に挿通される液面センサである。
【００１９】
そして、セル本体３０の貯液孔５内の液体の酸度を測定する場合、取付金具４４の先端部５６に設けられた攪拌ユニット２１の攪拌羽根２６を攪拌羽根挿通孔１１を介して貯液孔に挿入し、攪拌羽根２６を貯液孔５の液体に浸漬した状態で、モータ２２を駆動し、駆動軸２３，ゴム継手２４，回転軸２５を介して攪拌羽根２６を回転し、液体を攪拌し、液体分析センサ３４により液体の導電率を測定し、この得られた導電率により酸度を求める。
【００２０】
つぎに、セル本体３０の内部を清掃する場合、取付ボルト１９を緩めて取付金具４４を長孔４５に沿って上方に移動して攪拌ユニット２１の攪拌羽根２６を攪拌羽根挿通孔１２から引き出し、窓９等を取り外した後、セル本体３０の内部を洗剤で湿らしたペーパーで拭き取っている。
清掃終了後、窓９等を取付け、取付金具４４を下方に移動し、攪拌ユニット２１の攪拌羽根２６を攪拌羽根挿通孔１２を介して貯液孔５に挿入する。
【００２１】
このように、前記形態の場合、セル本体３０の内部を清掃する際、従来のように、セル本体３０および攪拌ユニット２１を取り外す必要がなく、セル本体３０の内部の清掃を簡単に行える。
【００２２】
【発明の効果】
上述のように構成された液体分析計用セルの取付構造は、液体分析計用セル本体３０上部に、攪拌羽根挿通孔１２を形成し、取付金具４４の基部の両側に上下方向の長孔４５を形成し、長孔４５に挿通したボルト１９により、シャーシ本体３に取付金具４４を固定するようにしたため、セル本体３０の内部の清掃を行う際、ボルト１９を緩めて取付金具４４を長孔４５に沿って上方に移動し、攪拌ユニット２１の攪拌羽根２６を攪拌羽根挿通孔１２から引き出すことができ、セル本体３０の内部の清掃を容易に、かつ、簡便に行うことができ、洗浄性を向上することができる。
【図面の簡単な説明】
【図１】酸糖度分析装置の全体の構成を示した概略図である。
【図２】本発明の実施の一形態である酸度計の取付構造を示した斜視図である。
【図３】図２の一部縦断正面図である。
【図４】図２の一部縦断側面図である。
【図５】従来例の酸度計の一部縦断側面図である。
【符号の説明】
３…シャーシ本体、５…貯液孔、９…窓、１２…攪拌羽根挿通孔、１４…排液孔、１９…取付ボルト、２１…攪拌ユニット、２２…モータ、２６…攪拌羽根、３０…液体分析計用セル本体、３４…液体分析センサ、４４…取付金具、４５…長孔、４８…センサ取付孔、５０…液面センサ。
【図１】
0003848468.tif 000002
【図２】
0003848468.tif 000003
【図３】
0003848468.tif 000004
【図４】
0003848468.tif 000005
【図５】
0003848468.tif 000006